(57)【特許請求の範囲】
【請求項１】
第１の記録媒体に記録されたプログラム情報を再生する第１の再生手段と、
前記第１の再生手段により再生されたプログラム情報を前記第２の記録媒体に記録する記録手段と、
前記第２の記録媒体に記録されたプログラム情報を再生する第２の再生手段と、
前記第１、第２の再生手段および前記記録手段を制御する制御手段と、
ユーザが操作指令を入力するための操作手段と、
を備え、
前記制御手段は、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、
前記記録動作の実行中において、当該記録動作によって前記第２の記録媒体への記録が完了されたプログラム情報（以下、「記録完了プログラム情報」という）を判別し、当該記録完了プログラム情報のトラック番号の指定入力を前記操作手段に許可し、
前記指定入力がなされた場合に、前記記録動作を継続したまま、当該指定されたトラック番号に対応する前記記録完了プログラム情報を前記通常の再生速度で再生する再生動作を実行するように、前記第１、第２の再生手段および前記記録手段を制御すること、
を特徴とする情報記録再生装置。
【請求項２】
前記制御手段は、
前記記録動作と、前記記録完了プログラム情報を前記トラック番号順に前記通常の再生速度で再生する通常再生動作との両者の動作を実行するように、前記第１、第２の再生手段および前記記録手段を制御し、
前記記録動作および前記通常再生動作の実行中において、前記指定入力を前記操作手段に許可し、
前記指定入力がなされた場合に、前記記録動作を継続したまま前記通常再生動作を停止し、当該指定されたトラック番号に対応する前記記録完了プログラム情報を前記通常の再生速度で再生する再生動作を実行するように、前記第１、第２の再生手段および前記記録手段を制御すること、
を特徴とする請求項１に記載の情報記録再生装置。
【請求項３】
第１の記録媒体に記録されたプログラム情報を再生する第１の再生手段と、
前記第１の再生手段により再生されたプログラム情報を前記第２の記録媒体に記録する記録手段と、
前記第２の記録媒体に記録されたプログラム情報を再生する第２の再生手段と、
前記第１、第２の再生手段および前記記録手段を制御する制御手段と、
ユーザが操作指令を入力するための操作手段と、
を備え、
前記制御手段は、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、
前記記録動作の実行中において、当該記録動作によって前記第２の記録媒体への記録が完了されたプログラム情報（以下、「記録完了プログラム情報」という）を判別し、当該記録完了プログラム情報を対象としたスキャン再生入力を前記操作手段に許可し、
前記スキャン再生入力がなされた場合に、前記記録動作を継続したまま、前記記録完了プログラム情報の先頭部分のみを前記通常の再生速度で再生する再生動作を実行するように、前記第１、第２の再生手段および前記記録手段を制御すること、
を特徴とする情報記録再生装置。
【請求項４】
前記制御手段は、
前記記録動作と、前記記録完了プログラム情報を前記トラック番号順に前記通常の再生速度で再生する通常再生動作との両者の動作を実行するように、前記第１、第２の再生手段および前記記録手段を制御し、
前記記録動作および前記通常再生動作の実行中において、前記スキャン再生入力を前記操作手段に許可し、
前記スキャン再生入力がなされた場合に、前記記録動作を継続したまま前記通常再生動作を停止し、前記記録完了プログラム情報の先頭部分のみを前記通常の再生速度で再生する再生動作を実行するように、前記第１、第２の再生手段および前記記録手段を制御すること、
を特徴とする請求項３に記載の情報記録再生装置。
【請求項５】
第１の記録媒体に記録されたプログラム情報を再生する第１の再生手段と、
前記第１の再生手段により再生されたプログラム情報を前記第２の記録媒体に記録する記録手段と、
前記第２の記録媒体に記録されたプログラム情報を再生する第２の再生手段と、
前記第１、第２の再生手段および前記記録手段を制御する制御手段と、
ユーザが操作指令を入力するための操作手段と、
を備え、
前記制御手段は、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、
前記記録動作の実行中において、当該記録動作によって前記第２の記録媒体への記録が完了されたプログラム情報（以下、「記録完了プログラム情報」という）を判別し、当該記録完了プログラム情報を対象としたランダム再生入力を前記操作手段に許可し、
前記ランダム再生入力がなされた場合に、前記記録動作を継続したまま、前記記録完了プログラム情報を無作為に前記通常の再生速度で再生する再生動作を実行するように、前記第１、第２の再生手段および前記記録手段を制御すること、
を特徴とする情報記録再生装置。
【請求項６】
前記制御手段は、
前記記録動作と、前記記録完了プログラム情報を前記トラック番号順に前記通常の再生速度で再生する通常再生動作との両者の動作を実行するように、前記第１、第２の再生手段および前記記録手段を制御し、
前記記録動作および前記通常再生動作の実行中において、前記ランダム再生入力を前記操作手段に許可し、
前記ランダム再生入力がなされた場合に、前記記録動作を継続したまま前記通常再生動作を停止し、前記記録完了プログラム情報を無作為に前記通常の再生速度で再生する再生動作を実行するように、前記第１、第２の再生手段および前記記録手段を制御することを特徴とする請求項５に記載の情報記録再生装置。
【請求項７】
前記制御手段は、前記記録完了プログラムのトラック番号を表示手段に表示させることを特徴とする請求項１〜６のいずれか一項に記載の情報記録再生装置。
【請求項８】
第１の記録媒体に記録されたプログラム情報を再生して第２の記録媒体に記録する情報記録再生方法であって、
第１の記録媒体に記録されたプログラム情報を再生する第１の再生工程と、
前記第１の再生工程により再生されたプログラム情報を前記第２の記録媒体に記録する記録工程と、
前記第２の記録媒体に記録されたプログラム情報を再生する第２の再生工程と、
前記第１、第２の再生工程および前記記録工程の処理を制御する制御工程と、
ユーザが操作指令を入力するための操作工程と、
を備え、
前記制御工程では、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、
前記記録動作の実行中において、当該記録動作によって前記第２の記録媒体への記録が完了されたプログラム情報（以下、「記録完了プログラム情報」という）を判別し、当該記録完了プログラム情報のトラック番号の指定入力を前記操作工程において許可し、
前記指定入力がなされた場合に、前記記録動作を継続したまま、当該指定されたトラック番号に対応する前記記録完了プログラム情報を前記通常の再生速度で再生する再生動作を実行するように、前記第１、第２の再生工程および前記記録工程の処理を制御すること、  を特徴とする情報記録再生方法。
【請求項９】
第１の記録媒体に記録されたプログラム情報を再生して第２の記録媒体に記録する情報記録再生方法であって、
第１の記録媒体に記録されたプログラム情報を再生する第１の再生工程と、
前記第１の再生工程において再生されたプログラム情報を前記第２の記録媒体に記録する記録工程と、
前記第２の記録媒体に記録されたプログラム情報を再生する第２の再生工程と、
前記第１、第２の再生工程および前記記録工程における処理を制御する制御工程と、
ユーザが操作指令を入力するための操作工程と、
を備え、
前記制御工程では、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、
前記記録動作の実行中において、当該記録動作によって前記第２の記録媒体への記録が完了されたプログラム情報（以下、「記録完了プログラム情報」という）を判別し、当該記録完了プログラム情報を対象としたスキャン再生入力を前記操作工程において許可させ、
前記スキャン再生入力がなされた場合に、前記記録動作を継続したまま、前記記録完了プログラム情報の先頭部分のみを前記通常の再生速度で再生する再生動作を実行するように、前記第１、第２の再生工程および前記記録工程の処理を制御すること、
を特徴とする情報記録再生方法。
【請求項１０】
第１の記録媒体に記録されたプログラム情報を再生して第２の記録媒体に記録する情報記録再生方法であって、
第１の記録媒体に記録されたプログラム情報を再生する第１の再生工程と、
前記第１の再生工程において再生されたプログラム情報を前記第２の記録媒体に記録する記録工程と、
前記第２の記録媒体に記録されたプログラム情報を再生する第２の再生工程と、
前記第１、第２の再生工程および前記記録工程における処理を制御する制御工程と、
ユーザが操作指令を入力するための操作工程と、
を備え、
前記制御工程では、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、
前記記録動作の実行中において、当該記録動作によって前記第２の記録媒体への記録が完了されたプログラム情報（以下、「記録完了プログラム情報」という）を判別し、当該記録完了プログラム情報を対象としたランダム再生入力を前記操作工程において許可させ、
前記ランダム再生入力がなされた場合に、前記記録動作を継続したまま、前記記録完了プログラム情報を無作為に前記通常の再生速度で再生する再生動作を実行するように、前記第１、第２の再生工程および前記記録工程の処理を制御すること、
を特徴とする情報記録再生方法。
【請求項１１】
第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備える情報記録再生装置にインストールさせ、前記制御手段に実行させる情報記録再生手順プログラムが記録されたプログラム記録媒体であって、
前記制御手段に実行させる情報記録再生手順プログラムは、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御させる第１の手順と、
前記記録動作の実行中において、当該記録動作によって前記第２の記録媒体への記録が完了されたプログラム情報（以下、「記録完了プログラム情報」という）を判別させ、当該記録完了プログラム情報のトラック番号の指定入力を前記操作手段に許可させる第２の手順と、
前記指定入力がなされた場合に、前記記録動作を継続したまま、当該指定されたトラック番号に対応する前記記録完了プログラム情報を前記通常の再生速度で再生する再生動作を実行するように、前記第１、第２の再生手段および前記記録手段を制御させる第３の手順とを有すること、
を特徴とする情報記録再生手順プログラムが記録されたプログラム記録媒体。
【請求項１２】
第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備える情報記録再生装置にインストールさせ、前記制御手段に実行させる情報記録再生手順プログラムが記録されたプログラム記録媒体であって、
前記制御手段に実行させる情報記録再生手順プログラムは、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御させる第１の手順と、
前記記録動作の実行中において、当該記録動作によって前記第２の記録媒体への記録が完了されたプログラム情報（以下、「記録完了プログラム情報」という）を判別し、当該記録完了プログラム情報を対象としたスキャン再生入力を前記操作手段に許可させる第２の手順と、
前記スキャン再生入力がなされた場合に、前記記録動作を継続したまま、前記記録完了プログラム情報の先頭部分のみを前記通常の再生速度で再生する再生動作を実行するように、前記第１、第２の再生手段および前記記録手段を制御させる第３の手順とを有すること、
を特徴とする情報記録再生手順プログラムが記録されたプログラム記録媒体。
【請求項１３】
第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備える情報記録再生装置にインストールさせ、前記制御手段に実行させる情報記録再生手順プログラムが記録されたプログラム記録媒体であって、
前記制御手段に実行させる情報記録再生手順プログラムは、
前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御させる第１の手段と、
前記記録動作の実行中において、当該記録動作によって前記第２の記録媒体への記録が完了されたプログラム情報（以下、「記録完了プログラム情報」という）を判別し、当該記録完了プログラム情報を対象としたランダム再生入力を前記操作手段に許可させる第２の手順と、
前記ランダム再生入力がなされた場合に、前記記録動作を継続したまま、前記記録完了プログラム情報を無作為に前記通常の再生速度で再生する再生動作を実行するように、前記第１、第２の再生手段および前記記録手段を制御させる第３の手順とを有すること、
を特徴とする情報記録再生手順プログラムが記録されたプログラム記録媒体。
【発明の詳細な説明】
【０００１】
【発明の属する技術分野】
本発明は、第１の記録媒体に記録されたプログラム情報を再生して第２の記録媒体に記録し、その第２の記録媒体に記録されたプログラム情報を再生する情報記録再生装置、情報記録再生方法及び情報記録再生手順プログラムを記録したプログラム記録媒体に関する。
【０００２】
【従来の技術】
プログラム情報を再生して記録する情報記録再生装置として、例えば、ＣＤ（コンパクトディスク）に記録されたプログラム情報を再生してハードディスクに記録させ、その記録されたプログラム情報をハードディスクから読み出して再生する情報記録再生装置が存在する。
【０００３】
このハードディスクを搭載した情報記録再生装置では、例えば、ＣＤに記録されたプログラム情報を各種フォーマットに基づき圧縮し、ハードディスクに記録させる。そして、ハードディスクに記録されたプログラム情報を再生する。その圧縮方式として、現時点で代表的なものに、ＭＰ３（ＭＰＥＧ：Moving  Picture  Experts  Group；オーディオ・レイヤIII）、ＡＴＲＡＣ（Adaptive  Transform  Acoustic  Coding）が改良されたＡＴＲＡＣ３があり、例えば、１分間に演奏される音楽情報をそれらの圧縮方法によって圧縮し、ハードディスクに記録した場合、そのハードディスクにおける記憶容量は約１Ｍバイトに相当する。従って、１０Ｇバイト程度の記憶容量を持つハードディスクを想定した場合、１曲の演奏時間を５分と仮定すれば約２０００曲の記録が可能となる。
【０００４】
このように、ハードディスクは、その記憶容量がＣＤと比べ大容量であることから数多くのプログラム情報を蓄積させることができる。また、ハードディスクに記録されたプログラム情報を再生させる際のアクセス速度がＣＤに記録されているプログラム情報を再生する際のアクセス速度よりも早く、さらに、外部振動に対するリカバリも迅速に行うことができることから、ＣＤに記録されているプログラム情報を再生するＣＤ再生装置よりも優れた利点を多く有している。このため、ハードディスクを搭載した情報記録再生装置が車載用を中心として市場を形成していく傾向にある。
【０００５】
【発明が解決しようとする課題】
ところで、上記したハードディスクを搭載した情報記録再生装置では、ＣＤ等の記録媒体に記録されているプログラム情報を再生しながら、その再生したプログラム情報をハードディスクに記録させてライブラリを構築中に、ユーザー等により操作パネル等に設けられた操作ボタンが操作されてしまうことが考えられる。つまり、ユーザー等は、一般的に上記したライブラリ構築の進行状況を意識しないため、例えば、ディスクを交換するためのイジェクトボタンや、トラック指定ボタン等の操作を行ってしまうことが考えられる。そのため、上記したライブラリ構築中には、ユーザー等により操作ボタンが操作されても、その操作に応じた動作を行わせないようにしていた。
すなわち、ユーザー等が、例えば、上記したライブラリ構築中に所望するプログラム情報の再生を欲したとしても、そのライブラリの構築が完了されるまで待つしかなかった。
【０００６】
本発明は、上記事情に鑑みてなされたものであり、ハードディスク等の記録媒体にＣＤ、ＣＤ−ＲＯＭあるいはＤＶＤ（Digital Versatile Disk）等の記録媒体から再生されるプログラム情報を記録している途中であっても、ユーザー等によるトラック指定等の操作を許可し、そのユーザー等による操作に応じた動作を行わせることができる情報記録再生装置、情報記録再生方法及び情報記録再生手順プログラムを記録したプログラム記録媒体を提供することを目的とする。
【０００７】
【課題を解決するための手段】
上記課題を解決するために本発明に係る情報記録再生装置は、第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備え、前記制御手段は、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、前記記録動作の実行中において、当該記録動作によって前記第２の記録媒体への記録が完了されたプログラム情報（「記録完了プログラム情報」という）を判別し、当該記録完了プログラム情報のトラック番号の指定入力を前記操作手段に許可し、前記指定入力がなされた場合に、前記記録動作を継続したまま、当該指定されたトラック番号に対応する前記記録完了プログラム情報を前記通常の再生速度で再生する再生動作を実行するように、前記第１、第２の再生手段および前記記録手段を制御すること、を特徴とする。
【０００８】
また、上記課題を解決するために本発明に係る情報記録再生装置は、第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備え、前記制御手段は、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、前記記録動作の実行中において、当該記録動作によって前記第２の記録媒体への記録が完了されたプログラム情報（「記録完了プログラム情報」という）を判別し、当該記録完了プログラム情報を対象としたスキャン再生入力を前記操作手段に許可し、前記スキャン再生入力がなされた場合に、前記記録動作を継続したまま、前記記録完了プログラム情報の先頭部分のみを前記通常の再生速度で再生する再生動作を実行するように、前記第１、第２の再生手段および前記記録手段を制御すること、を特徴とする。
【０００９】
また、上記課題を解決するために本発明に係る情報記録再生装置は、第１の記録媒体に記録されたプログラム情報を再生する第１の再生手段と、前記第１の再生手段により再生されたプログラム情報を前記第２の記録媒体に記録する記録手段と、前記第２の記録媒体に記録されたプログラム情報を再生する第２の再生手段と、前記第１、第２の再生手段および前記記録手段を制御する制御手段と、ユーザが操作指令を入力するための操作手段と、を備え、前記制御手段は、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生手段および前記記録手段を制御し、前記記録動作の実行中において、当該記録動作によって前記第２の記録媒体への記録が完了されたプログラム情報（「記録完了プログラム情報」という）を判別し、当該記録完了プログラム情報を対象としたランダム再生入力を前記操作手段に許可し、前記ランダム再生入力がなされた場合に、前記記録動作を継続したまま、前記記録完了プログラム情報を無作為に前記通常の再生速度で再生する再生動作を実行するように、前記第１、第２の再生手段および前記記録手段を制御すること、を特徴とする。
【００１０】
また、上記課題を解決するために本発明に係る情報記録再生方法は、第１の記録媒体に記録されたプログラム情報を再生して第２の記録媒体に記録する情報記録再生方法であって、第１の記録媒体に記録されたプログラム情報を再生する第１の再生工程と、前記第１の再生工程により再生されたプログラム情報を前記第２の記録媒体に記録する記録工程と、前記第２の記録媒体に記録されたプログラム情報を再生する第２の再生工程と、前記第１、第２の再生工程および前記記録工程の処理を制御する制御工程と、ユーザが操作指令を入力するための操作工程と、を備え、前記制御工程では、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、前記記録動作の実行中において、当該記録動作によって前記第２の記録媒体への記録が完了されたプログラム情報（以下、「記録完了プログラム情報」という）を判別し、当該記録完了プログラム情報のトラック番号の指定入力を前記操作工程において許可し、前記指定入力がなされた場合に、前記記録動作を継続したまま、当該指定されたトラック番号に対応する前記記録完了プログラム情報を前記通常の再生速度で再生する再生動作を実行するように、前記第１、第２の再生工程および前記記録工程の処理を制御すること、を特徴とする。
【００１１】
また、上記課題を解決するために本発明に係る情報記録再生方法は、第１の記録媒体に記録されたプログラム情報を再生して第２の記録媒体に記録する情報記録再生方法であって、第１の記録媒体に記録されたプログラム情報を再生する第１の再生工程と、前記第１の再生工程において再生されたプログラム情報を前記第２の記録媒体に記録する記録工程と、前記第２の記録媒体に記録されたプログラム情報を再生する第２の再生工程と、前記第１、第２の再生工程および前記記録工程における処理を制御する制御工程と、ユーザが操作指令を入力するための操作工程と、を備え、前記制御工程では、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、
前記記録動作の実行中において、当該記録動作によって前記第２の記録媒体への記録が完了されたプログラム情報（「記録完了プログラム情報」という）を判別し、当該記録完了プログラム情報を対象としたスキャン再生入力を前記操作工程において許可させ、
前記スキャン再生入力がなされた場合に、前記記録動作を継続したまま、前記記録完了プログラム情報の先頭部分のみを前記通常の再生速度で再生する再生動作を実行するように、前記第１、第２の再生工程および前記記録工程の処理を制御すること、を特徴とする。
【００１２】
また、上記課題を解決するために本発明に係る情報記録再生方法は、第１の記録媒体に記録されたプログラム情報を再生して第２の記録媒体に記録する情報記録再生方法であって、第１の記録媒体に記録されたプログラム情報を再生する第１の再生工程と、前記第１の再生工程において再生されたプログラム情報を前記第２の記録媒体に記録する記録工程と、前記第２の記録媒体に記録されたプログラム情報を再生する第２の再生工程と、前記第１、第２の再生工程および前記記録工程における処理を制御する制御工程と、ユーザが操作指令を入力するための操作工程と、を備え、前記制御工程では、前記第１の記録媒体に記録された複数のプログラム情報を通常の再生速度より速い速度でトラック番号順に再生して前記第２の記録媒体に記録するとともに当該プログラム情報のトラック番号の情報を記録する記録動作を実行するように、前記第１の再生工程および前記記録工程の処理を制御し、前記記録動作の実行中において、当該記録動作によって前記第２の記録媒体への記録が完了されたプログラム情報（「記録完了プログラム情報」という）を判別し、当該記録完了プログラム情報を対象としたランダム再生入力を前記操作工程において許可させ、前記ランダム再生入力がなされた場合に、前記記録動作を継続したまま、前記記録完了プログラム情報を無作為に前記通常の再生速度で再生する再生動作を実行するように、前記第１、第２の再生工程および前記記録工程の処理を制御すること、を特徴とする。
【００１４】
【発明の実施の形態】
以下、本発明の実施の形態を図面を参照して説明する。
まず、本実施形態の情報記録再生装置の構成を図１のブロック図を参照しながら説明する。
【００１５】
図１において、本情報記録再生装置１は、第１の記録媒体であるＣＤ、ＣＤ−ＲＯＭ、ＤＶＤ等の記録媒体（以下、「光ディスク」という）１２に記録されているプログラム情報を再生する再生セクション２と、第２の記録媒体であるハードディスク等の記録媒体（以下、「ハードディスク」という）に記録し又は記録したプログラム情報を再生する記録再生セクション３と、再生セクション２と記録再生セクション３との制御を司るとともに、再生セクション２と記録再生セタションにより再生されるプログラム情報の圧縮・伸張等の処理を施す制御セクション４と、ユーザー等により操作させる操作部及び液晶ディスプレイ等で形成された表示部を有する操作／表示セクション５とを備えて構成される。
再生セクション２は、装填された光ディスク１２を所定の線速度で回転させるスピンドルモータ１１と、光ディスク１２に記録されている情報を光学的に読み取り、電気信号に変換して出力するピックアップ１３と、サーボ制御回路１４、制御マイコン１５が備えられている。
【００１６】
サーボ制御回路１４は、ピックアップ１３から出力される電気信号を信号処理することにより、トラッキングエラー信号やフォーカスエラー信号等の誤差信号を生成するとともに、ＲＦ信号を生成する。その生成されたＲＦ信号をデシタルデータに変換した後、光ディスク１２のデータフォーマットに準拠した復調と誤り訂正を行い、制御セクション４に設けられているデコーダ回路３２に供給する。
また、サーボ制御回路１４は、上記フォーカスエラー信号やトラッキングエラー信号等の誤差信号と、上記復調と誤り訂正の処理によって得られた同期エラー信号により、制御マイコン１５からの指示に従って、ピックアップ１３に対するフォーカスサーボ及びトラッキングサーボ等の処理を行うとともに、スピンドルモータ１１の回転速度をサーボ制御する。
【００１７】
なお、このサーボ制御回路１４は、上記した復調と誤り訂正の処理を施されたデータをデコーダ回路３２に供給するとともに光ディスク１２に記録されている識別情報を制御マイコン１５と制御セクション４に設けられているシステム制御マイコン３１に供給する。
この識別情報とは、光ディスク１２をＣＤとした場合、そのＣＤのリードインエリアに記録されているＴＯＣ情報等である。このＴＯＣ情報等は、プログラム情報の再生条件、プログラム情報を識別するために付けられている番号（以下、「トラック番号」という）等の情報を備えており、サーポ制御回路１４は、それらの情報を制御マイコン１５、システム制御マイコン３１に供給する。
【００１８】
記録再生セクション３は、ハードディスクドライブＡ、及びハードディスクドライブＡによって再生セクション２により再生されたプログラム情報が記録される記録エリアであるハードディスクＢを備えて構成されている。ハードディスクドライブＡは、ハードディスクＢへのプログラム情報の記録、その記録されたプログラム情報の再生、消去等の処理を司る。また、ハードディスクＢには、ハードディスクドライブＡにより、ファイルフォルダ等の格納エリアが形成される。そして、その格納エリア内にプログラム情報が格納される。
【００１９】
制御セクション４は、再生セクション２のサーボ制御回路１４から供給される復調と誤り訂正の処理が施されたデータを復号するデコーダ回路３２、サーボ制御回路１４により復調と誤り訂正の処理が行われ、その処理後のデータを一時的に格納し所定の順番に配列し直すエラー訂正バッファメモリ３５、所定の圧縮処理により圧縮処理が施された再生信号（例えば、ＭＰ３方式により圧縮されたデータ）を伸張するＭＰ３デコーダ３３、復号叉は伸張されたデータをデジタルデータとして出力、又はアナログデータに変換して出力するＤＡＣ３４と、システム制御マイコン３１、ハードディスクドライブＡにより再生されたデータを伸張するＡＴＲＡＣ３デコーダ３８、伸張されたデータをデジタルデータとして出力、又はアナログデータに変換して出力するＤＡＣ３９と、切換えスイッチＹ、チューナ／システム制御マイコン３６とで構成されている。
【００２０】
システム制御マイコン３１は、マイクロプロセッサ（ＭＰＵ）を備え、所定のプログラムを実行することによって、本情報記録再生装置１全体の動作を制御する。また、システム制御マイコン３１は、デコーダ回路３２から復号されたデータが供給されると、ＡＴＲＡＣ３等の規格に準拠したデータに圧縮変換する。そして、その圧縮変換されたデータをハードディスクＢに記録させるようにハードディスクドライブＡを制御する。その際、そのプログラム情報を識別するための識別情報もそれと対応付けるようにしてハードディスクＢに記録させる。
なお、上記したシステム制御マイコン３１には、図示せぬ内蔵メモリが備えられている。システム制御マイコン３１は、サーボ制御回路１４から供給されるプログラム情報と識別情報をその内蔵メモリに記録する。そして、ハードディスクドライブＡを制御して内蔵メモリに記録したプログラム情報をハードディスクＢに記録させる。この際、上記した識別情報に基づいて、ハードディスクＢへの記録が完了したプログラム情報のトラック番号を記録する。
【００２１】
また、切換えスイッチＹは、ＤＡＣ３４から出力されるデータとＤＡＣ３９から出力されるデータとを切換えて図示せぬアンプ等に供給するためのものである。これは、光ディスク１２から再生されるプログラム情報をハードディスクに記録せず、単に出力するだけの場合には、ＤＡＣ３４から出力されるデータを供給させるべく切換えスイッチＹをＤＡＣ３４側の信号ラインと接続するように切換え、また、光ディスク１２から再生されるプログラム情報をハードディスクに記録する場合には、ＤＡＣ３９から出力されるデータを供給させるべく切換えスイッチＹをＤＡＣ３９側の信号ラインと接続するように切換えるものである。なお、この切換えスイッチＹの切換えは、システム制御マイコン３１からの指示に従って行われる。
【００２２】
チューナ／システム制御マイコン３６は、接続される操作／表示セクション５とのインターフェースを司るものである。すなわち、システム制御マイコン３１からの指示に従い、操作／表示セクション５に表示用データ等を供給し、また、操作／表示セクション５に設けられた操作部からの操作信号等をシステム制御マイコン３１に供給する。
【００２３】
操作／表示セクション５は、チューナ／システム制御マイコン３６から供給される表示用データに基づき、プログラム情報を識別するトラック番号等の識別情報を表示する表示部(図示せぬ)と、光ディスク１２に記録されたプログラム情報、又はハードディスクに記録されたプログラム情報を再生させるために操作される再生指令ボタン、光ディスク１２より再生されたプログラム情報をハードディスクＢに記録させるために操作される記録指令ボタン、光ディスク１２やハードディスクＢ等のソースを選択ための選択ボタン、光ディスク１２やハードディスクＢに記録されたプログラム情報を識別するトラック番号を指定するために操作されるトラック指定ボタン、光ディスク１２やハードディスクＢに記録されているプログラム情報を早送りしたり、巻き戻ししたりするためのボタン等が備えられた操作部(図示せぬ)等で構成されている。
【００２４】
以上のように構成された本発明の情報記録再生装置１では、ユーザー等が操作／表示セクション５に設けられた操作部の再生指令ボタンを操作すると、操作／表示セクション５はその操作信号をチュ一ナ／システム制御マイコン３６を介してシステム制御マイコン３１に送出する。
そのとき、選択されているソースが、再生セクション２による光ディスク１２に記録されているプログラム情報の再生を行うものであるのか、又は記録再生セクション３によるハードディスクＢに記録されているプログラム情報の再生を行うものであるのかを調べる。そして、再生セクション２による再生を行うものであると認識した場合は、切換えスイッチＹをＤＡＣ３４側の信号ラインと接続するように制御するとともに、制御マイコン１５に制御信号を送出して再生指示する。
【００２５】
制御マイコン１５は、システム制御マイコン３１からの指示に従い、サーボ制御回路１４を制御する。そして、サーボ制御回路１４は、その指示に従ってスピンドルモータ１１、ピックアップ１３等を駆動させて光ディスク１２に記録されているプログラム情報を再生させ、復調と誤り訂正の処理を施したデータを制御セクション４のデコーダ回路３２に供給する。このとき、制御マイコン１５は、スピンドルモータ１１の回転数を光ディスク１２の所定の線速度で回転させるために、ある決められた数値として設定する。デコーダ回路３２は、サーボ制御回路１４から供給されたデータをエラー訂正バッファメモリ３５に供給し、そして、エラー訂正バッファメモリ３５により所定の順番にて配列し直されたデータを復号してＭＰ３デコーダ３３又はＤＡＣ３４に供給する。ＭＰ３デコーダでは、圧縮処理が施されたデータを伸張してＤＡＣ３４に供給し、ＤＡＣ３４では、その供給されたデータをデジタルデータとして、又はアナログデータに変換して図示せぬアンプ等に出力する。
【００２６】
また、ユーザー等により選択されているソースが、記録再生セクション３による再生を行うものであるとシステム制御マイコン３１が認識した場合は、切換えスイッチＹをＤＡＣ３９側の信号ラインと接続するように制御するとともに、ハードディスクドライブＡを制御してハードディスクＢに記録されているプログラム情報を再生させる。そして、再生されたプログラム情報（例えば、ＡＴＲＡＣ３等の規格に準拠した、圧縮変換されたデータ）をＡＴＲＡＣ３デコーダ３８に供給する。ＡＴＲＡＣ３デコーダ３８は、その供給されたデータを伸張してＤＡＣ３９に供給し、ＤＡＣ３９では、その供給されたデータをアナログデータに変換して図示せぬアンプ等に出力する。このとき、システム制御マイコン３１は、ハードディスクドライブＡによりハードディスクＢに記録されているプログラム情報を再生する再生速度を、上記した光ディスク１２に記録されているプログラム情報を再生する再生速度と同じ速度として再生させるように、ハードディスクドライブＡを制御する。
【００２７】
次に、ユーザー等が操作／表示セクション５に設けられた操作部の記録指令ボタンを操作すると、操作／表示セクション５はその操作信号をチューナ／システム制御マイコン３６を介してシステム制御マイコン３１に送出する。そして、システム制御マイコン３１は、切換えスイッチＹをＤＡＣ３９側の信号ラインに接続するように制御するとともに、制御マイコン１５に制御信号を送出して、光ディスク１２に記録されているプログラム情報を再生するように指示する。
【００２８】
このとき、システム制御マイコン３１は、制御マイコン１５に対して、上記した光ディスク１２に記録されたプログラム情報を単に再生するだけの場合の再生速度より速い速度にて再生を行うように指示する。これを受けて、制御マイコン１５は、例えば、サーボ制御回路１４を制御して、スピンドルモータ１１を上記した通常の再生速度にて再生が行われるときの回転数よりもｎ倍（ｎは、１より大きい自然数）の数値に設定させ、それにより高速回転された光ディスク１２に記録されているプログラム情報をピックアップ１３にて読み取らせる。なお、この際、ピックアップ１３が光ディスク１２の高速回転に順応して高速読取りできるように、図示せぬピックアップ駆動機構等が駆動制御される。
そして、ピックアップ１３にて読み取られたプログラム情報は電気信号に変換され、さらに、サーボ制御回路１４によって信号処理され、デコーダ回路３２に供給される。この際、サーボ制御回路１４は、ピックアップ１３により読み取られた識別情報をシステム制御マイコン３１に供給する。
【００２９】
デコーダ回路３２は、サーボ制御回路１４から供給されたデータを復号し、システム制御マイコン３１に供給する。システム制御マイコン３１は、デコーダ回路３２より供給されたデータをＡＴＲＡＣ３等の規格に準拠したデータに圧縮変換する。そして、その変換されたデータをハードディスクＢに記録するようにハードディスクドライブＡを制御し、また、先にサーボ制御回路１４から供給された識別情報を、そのデータに対応付けるようにしてハードディスクＢに記録させる。そして、その識別情報に基づき、ハードディスクＢへの記録が完了してトラック番号を内蔵メモリに記憶する。ハードディスクドライブＡは、プログラム情報をハードディスクＢに記録するとともに、ハードディスクＢに記録されたデータを上記したプログラム情報を再生する通常の再生速度と同じ速度にて読取り、ＡＴＲＡＣ３デコーダ３８はその供給されたデータを伸張してＤＡＣ３９に供給し、ＤＡＣ３９は、その供給されたデータをアナログデータに変換して出力する。
【００３０】
図２は、高速回転される光ディスク１２から読取られ、ハードディスクＢに記録されるプログラム情報と、ハードディスクＢから再生されるプログラム情報との対応関係を模式的に示したものである。図２に示すように、光ディスク１２に記録されたトラック番号「１」のプログラム情報を高速再生してハードディスクＢに記録し、記録されたトラック番号「１」のプログラム情報をハードディスクドライブＡにて再生しているとき、トラック番号「１」のプログラム情報のハードディスクＢへの記録が完了した時点（ハードディスクＢの「トラックＮＯ．１の記録完了」が示す位置）では、ハードディスクドライブＡは、まだ、トラック番号「１」のプログラム情報を再生している状態（ハードディスクＢの「再生位置Ａ」が示す部分を再生中）にある。また、その再生記録動作が継続して行われ、トラック番号「Ｎ＋１」のプログラム情報を記録している時点（ハードディスクＢの「トラック番号「Ｎ＋１」の記録位置」が示す部分）では、例えば、そのトラック番号「Ｎ＋１」のプログラム情報より前に既に記録されたトラック番号「Ｎ−１」のプログラム情報を再生している状態（ハードディスクＢの「再生位置Ｂ」が示す部分を再生中）となる。
【００３１】
図２は、高速回転される光ディスク１２から読取られ、ハードディスクＢに記録されるプログラム情報と、ハードディスクＢから再生されるプログラム情報との対応関係を模式的に示したものである。
図２に示すように、光ディスク１２に記録されたトラック番号「１」のプログラム情報を高速再生してハードディスクＢに記録し、記録されたトラック番号「１」のプログラム情報をハードディスクドライブＡにて再生しているとき、トラック番号「１」のプログラム情報のハードディスクＢへの記録が完了した時点（ハードディスクＢの「トラックＮＯ．１の記録完了」が示す位置）では、ハードディスクドライブＡは、まだ、トラック番号「１」のプログラム情報を再生している状態（ハードディスクＢの「再生位置Ａ」が示す部分を再生中）にある。また、その再生記録動作が継続して行われ、トラック番号「Ｎ＋１」のプログラム情報を記録している時点（ハードディスクＢの「トラック番号「Ｎ＋１」の記録位置」が示す部分）では、例えば、そのトラック番号「Ｎ＋１」のプログラム情報より前に既に記録されたトラック番号「Ｎ＋１」のプログラム情報を再生している状態（ハードディスクＢの「再生位置Ｂ」が示す部分を再生中）となる。
【００３２】
このように、光ディスク１２に記録されているプログラム情報を高速再生してハードディスクＢに記録し、ハードディスクＢに記録されたプログラム情報を通常の再生速度にて再生させるという再生記録動作を行うと、必ずしも記録されているプログラム情報と再生されているプログラム情報とが一致しない状態が生じることとなる。
このとき、システム制御マイコン３１は、再生記録動作中であっても、ハードディスクＢに記録が完了したプログラム情報を対象として操作／表示セクション５からの操作信号を受け付ける。例えば、トラック番号「Ｎ＋１」のプログラム情報をハードディスクＢに記録しているとき、トラック番号「１」からトラック番号「Ｎ」までのプログラム情報がハードディスクＢに記録完了していることを認識することで、そのトラック番号「１」から「Ｎ」までのプログラム情報を対象としたトラック番号指定、早送り・巻き戻し等のユーザー等による操作を受け付けることが可能となる。
【００３３】
次に、図３を用いて、本発明に係るシステム制御マイコン３１による処理について説明する。
まず、ユーザー等により再生セクション２の図示せぬ挿入口から光ディスク１２を挿入させ、光ディスク１２を所定の再生位置に持ち越して、図示せぬターンテーブルに装着する。
ユーザー等が操作／表示セクション５に設けられた記録指令ボタンを操作すると、システム制御マイコン３１は、制御マイコン１５を制御して、光ディスク１２を高速回転させるべくスピンドルモータ１１のサーボを立ち上げる。  そして、光ディスク１２がＣＤである場合には、そのリードインエリアに記録されている識別情報であるＴＯＣ情報等をピックアップ１３にて読み取る（ステップＳ３１）。
【００３４】
システム制御マイコン３１は、ピックアップ１３にて読み取られたとＴＯＣ情報等とハードディスクＢに記録された識別情報とを比較して、ハードディスクＢに記録されていないプログラム情報があるか否かを調べる（ステップＳ３２）。ハードディスクＢに記録されていないプログラム情報が存存しない（記録済み）と判断した場合には、ハードディスクＢへの記録動作を行わずに、操作／表示マイコン５に設けられた表示部に「既に記録済みです」と表示させ、かつ、制御マイコン１５を制御して、光ディスク１２の高速回転状態を所定の線速度による回転状態とし、また、切換えスイッチＹをＤＡＣ３４側の信号ラインに接続させて再生セクション２に対し上記した通常の再生速度による再生動作を行わせる。また、ハードディスクＢに記録されていないプログラム情報が存在する（未記録）と判断した場合は、再生記録動作を継続して行わせ、記録対象となる全てのプログラム情報のハードディスクＢへの記録が完了したか否かを監視する（ステップＳ３３）。
【００３５】
記録対象となる全てのプログラム情報の高速記録が完了したと判断した場合には、記録対象となる全てのプログラム情報の記録が完了されたことを示す記録済みフラグをファイルフォルダ等に設定する（ステップＳ３７）。
そして、プログラム情報の高速記録とハードディスクＢに記録されたプログラム情報の通常の再生速度による再生動作を継続して行わせる。
記録対象となる全てのプログラム情報の高速記録が完了していないと判断した場合は、光ディスク１２に記録されたプログラム情報の高速再生によるハードディスクＢへの高速記録と（ステップＳ３４）、高速記録によりハードディスクＢに記録されたプログラム情報の通常の再生速度による再生動作を継続して行わせる（ステップＳ３５）。
【００３６】
次に、上記した再生記録動作中に、ユーザー等による操作／表示セクション５に設けられた操作部の操作ボタンが操作されたか否か、つまり、操作／装示セクション５から操作信号が供給されたか否かを判断する（ステップＳ３６）。
ユーザー等による操作がなされていないと判断した場合は、ステップＳ３３以降の処理を繰り返し行う。ユーザー等による操作がなされたと判断した場合、つまり、操作／表示セクション５からの操作信号がチューナ／システム制御マイコン３６を介して供給された場合、例えば、ユーザー等によりトラック指定ボタンが操作された場合（ステップＳ３８）、システム制御マイコン３１は、内蔵メモリを調べてハードディスクＢへの記録が完了したプログラム情報が存在するか否かを判断する（ステップＳ３９）。
【００３７】
そして、ハードディスクＢに記録が完了したプログラム情報が存在しないと判断した場合、例えば、トラック番号「１」のプログラム情報の高速記録中にユーザー等による操作がなされた場合には、その操作信号に対する処理動作は行わない（ステップＳ４１）。
ハードディスクＢに記録が完了したプログラム情報が存在すると判断した場合には、その記録が完了したプログラム情報を対象とした操作信号に対する処理動作を行う。つまり、システム制御マイコン３１は、ハードディスクドライブＡを制御して、光ディスク１２に記録されたプログラム情報のハードディスクＢへの高速記録を継続して行わせながら、その高速記録とハードディスクＢに記録されたプログラム情報の通常の再生速度による再生を停止させる。そして、ユーザー等のトラック指定ボタンの操作に応じた動作を行わせる。
【００３８】
例えば、光ディスク１２に記録されているトラック番号「６」のプログラム情報をハードディスクＢに高速記録し、ハードディスクＢに記録されたトラック番号「４」のプログラム情報の再生が行われていたときに、ユーザー等がトラック指定ボタンによりトラック番号「５」を指定した場合、システム制御マイコン３１は、トラック番号「５」のプログラム情報がハードディスクＢに記録されていることを確認し、トラック番号「６」のプログラム情報の高速記録を行わせながら、トラック番号「４」の再生を止めてトラック番号「５」のプログラム情報の先頭位置から再生を開始させる（ステップＳ４０）。なお、ユーザー等がトラック指定ボタンを操作してトラック番号「６」以上のトラック番号を指定した場合、そのトラック番号のプログラム情報はハードディスクＢに高速記録されている最中であるか、又は未だ記録されていない状態にあることを判断して、表示部に「現在記録中です」、又は「未だ記録されていません」等の表示を行わせて、そのユーザー等の操作に応じた処理動作は行わない。
【００３９】
また、例えば、ユーザー等により早送り・巻き戻しボタンが操作された場合（ステップＳ４２）にも、システム制御マイコン３１は、内蔵メモリを調べてハードディスクＢへの記録が完了したプログラム情報が存在するか否かを判断する（ステップＳ４３）。
そして、ハードディスクＢに記録が完了したプログラム情報が存在しないと判断した場合、つまり、トラック番号「１」のプログラム情報の記録中にユーザー等による操作がなされた場合には、その操作信号に対する処理動作は行わない（ステップＳ４５）。
ハードディスクＢに記録が完了したプログラム情報が存在すると判断した場合には、その記録が完了したプログラム情報を対象とした操作信号に対する処理動作を行う。つまり、システム制御マイコン３１は、ハードディスクドライブＡを制御して、光ディスク１２に記録されたプログラム情報のハードディスクＢへの高速記録を行わせながら、ハードディスクＢに記録されたプログラム情報の通常の再生速度による再生を停止させる。
【００４０】
そして、ユーザー等の早送り・巻き戻しボタンの操作に応じた動作を行なわせる。例えば、光ディスク１２に記録されているトラック番号「１０」のプログラム情報をハードディスクＢに高速記録し、ハードディスクＢに記録されたトラック番号「８」のプログラム情報の再生が行われていたときに、ユーザー等が早送り・巻き戻しボタンを操作すると、トラック番号「１」から「９」までの範囲においてトラック送り動作を行う。
【００４１】
そして最終的にユーザー等がトラック番号「９」を指定した場合は、トラック番号「１０」のプログラム情報の高速記録を行わせながら、トラック番号「８」のプログラム情報の再生を止めて、トラック番号「９」のプログラム情報の先頭位置から再生を開始させる。
なお、システム制御マイコン３１は、例えば、操作部に設けられた確認ボタン等をユーザー等が操作することにより、ハードディスクＢへの記録が完了されたプログラム情報のトラック番号を表示部に表示させる。
【００４２】
すなわち、ユーザー等による確認ボタン等の操作信号がチューナ／システム制御マイコン３６を介して供給されると、ハードディスクＢへの記録が完了されたプログラム情報のトラック番号を読み出して、チューナ／システム制御マイコン３６に供給する。
そして、チューナ／システム制御マイコン３６は、その供給されたトラック番号を表示用データに変換し、操作／表示セクション５に供給し、操作／表示セクション５に設けられた表示部は、その表示用データを表示する。
【００４３】
例えば、また、操作／表示セクション５に設けられた表示部は、その表示用データを表示する。例えば、表示部に記録が完了したプログラム情報のトラック番号を表示させるとともに、現在記録中であるプログラム情報のトラック番号を点滅表示させる。また、現在再生中のプログラム情報のトラック番号に矢印を付して表示させるなどして、ユーザー等に対し、その記録の進行状況を視認させる。また、表示部に表示されたトラック番号の内、所望するトラック番号にカーソル等を合わせることで、トラック指定の操作を容易に行うことが可能となる。
【００４４】
このように、ハードディスクＢへの高速記録中にその記録が完了したプログラム情報を対象としたユーザー等による操作を受けつける構成としたので、ユーザー等は、その高速記録動作の完了を待つことなく、ハードディスクＢに記録されたプログラム情報を再生させてたのしむことができる。
【００４５】
また、ユーザー等による操作は、上記したトラック指定ボタンや早送り・巻き戻しボタンの操作に限るものではない。例えば、プログラム情報の先頭部分のみを再生させる為に操作されるスキャンボタンや、プログラム情報を無作為に再生させるために操作されるランダムボタン等の操作にも適用できる。
【００４６】
なお、上記した本発明実施形態では、第２の記録媒体をハードディスクとして説明したが、これに限られることなく、ＭＤ等の記録再生可能な記録媒体に置き換えても本説明を適用することが可能である。
【００４７】
また、以上の説明では、情報再生と情報記録とを行う所謂専門機器としての情報記録再生装置について説明したが、本説明はこれに限定されるものではない。上述したプログラム情報の再生記録処理工程及びユーザー等による操作許可する処理工程を有し、マイクロプロセッサ等が実行可能なコンピュータプログラム（情報記録再生手順プログラム）としてＣＤ、ＣＤ−ＲＯＭやＤＶＤ等の記録媒体に記録して提供し、その情報記録再生プログラムをマイクロプロセッサ等を内蔵する電子機器（例えば、パーソナルコンピュータ等）にインストールして実行させるようにしてもよい。
【００４８】
このように情報記録媒体の形で提供すると、再生手段と記録手段を備えた電子機器に広く本発明を適用することが可能となる。
【００４９】
また、情報記録媒体の形で提供する場合に限らず、インターネット等の通信手段を利用して、上記情報記録再生手段プログラムをパーソナルコンピュータ等の電子機器に送信し、ダウンロードさせて実行させるようにしてもよい。
【００５０】
【発明の効果】
以上の説明のように、本発明によれば、光ディスク１２に記録されたプログラム情報を高速再生させてハードディスクＢに記録させ、その高速記録によりハードディスクＢへの記録が完了したプログラム情報を対象としたユーザー等による操作手段の操作を許可し、そのユーザー等による操作に応じた動作を行わせるようにしたので、ユーザー等は、再生記録動作の完了を待つことなく、ハードディスクＢに記録された所望するプログラム情報を再生させて楽しむことができる。また、プログラム情報のハードディスクＢへの記録の進行状況を確認することができる。さらに、表示部に記録が完了したプログラム情報のトラック番号を表示して視認させるようにしたので、利便性が向上する。
【図面の簡単な説明】
【図１】本発明の一実施形態を示すブロック図である。
【図２】本発明実施形態の動作を説明するために引用した図であり、ハードディスクＢに記録されるプログラム情報と、ハードディスクＢから再生されるプログラム情報との対応関係を模式的に示した図である。
【図３】本発明実施形態の動作を説明するために引用したフローチャートである。
【符号の説明】
１…情報記録再生装置、２…再生セクション、３…記録再生セクション、４…制御セクション、５…操作／表示セクション、３１…システム制御マイコン、３２…デコーダ回路、３３…ＭＰ３デコーダ、３４、３９…ＤＡＣ（デジタル・アナログ・コンバータ）、３５…エラー訂正バッファメモリ、３６…チューナ／システム制御マイコン、３８…ＡＴＲＡＣ３デコーダ
【図１】
0004205312.tif 000002
【図２】
0004205312.tif 000003
【図３】
0004205312.tif 000004